(57)【要約】【課題】エアシャワー装置を連続して利用する場合に、スイッチ等の制御部品の消耗をおさえることができ、しかも省エネルギーに適したエアシャワー装置を提供する。【解決手段】シャワー室内への入退室を検知する検知手段と、前記検知手段により入室時にシャワー室内の照明灯の点灯を制御する点灯制御手段と、前記検知手段により退室時にシャワー室内の照明灯の消灯を制御する消灯制御手段とを備えたエアシャワー装置であって、前記消灯制御手段を消灯タイマーによって構成し、前記消灯タイマーが作動中に、前記検知手段によりシャワー室内への入室を検知した場合には、前記消灯タイマーをリセットすることを特徴とする。【選択図】　図３
2004093010.tif 000002
【特許請求の範囲】
【請求項１】
シャワー室内への入退室を検知する検知手段と、前記検知手段により入室時にシャワー室内の照明灯の点灯を制御する点灯制御手段と、前記検知手段により退室時にシャワー室内の照明灯の消灯を制御する消灯制御手段とを備えたエアシャワー装置であって、前記消灯制御手段を消灯タイマーによって構成し、前記消灯タイマーが作動中に、前記検知手段によりシャワー室内への入室を検知した場合には、前記消灯タイマーをリセットすることを特徴とするエアシャワー装置。
【発明の詳細な説明】
【０００１】
【発明の属する技術分野】
本発明は、半導体用のクリーンルーム、病院手術室、食品・バイオ関連等の施設において、清浄室と前室との間に設置され、入室者や製品等の物品をジェットエアで清浄化するエアシャワー装置に関する。
【０００２】
【従来の技術】
従来のエアシャワー装置は、前室側ドアを開けてエアシャワー室へ入室すると、この入室状況をセンサーが検知し、清浄室側の扉を施錠する。そして、ファンが作動してジェットノズルよりジェットエアが一定時間吹き出され、その後清浄室側の扉が開錠され、清浄室へ入室できるようになっており、このような一連の動作をリレー方式又は集積回路方式で制御するようにしていた。その一例として、例えば、実開昭６２−８０１３５号公報には、入室者の有無をセンサーで検出して照明を点灯及び消灯することにより、消費電力の無駄をなくし、省エネルギー効果を得ようとするものが開示されている。
【０００３】
【発明が解決しようとする課題】
しかしながら、前記公報に開示される方法では、入退室が一度で済む場合や、間隔を空けて行われる場合は省エネルギー効果が得られるものの、例えば、短時間に連続して複数回にわたり入退室が繰り返される場合は、頻繁に照明のオン・オフをする必要が生じ、スイッチの寿命が短くなるという問題があった。
【０００４】
そこで、本発明は、エアシャワー装置を連続して利用する場合に、スイッチ等の制御部品の消耗をおさえることができ、しかも省エネルギーに適したエアシャワー装置を提供することを目的とする。
【０００５】
【課題を解決するための手段】
本発明のエアシャワー装置は、前記課題を解決するべく、請求項１記載の通り、シャワー室内への入退室を検知する検知手段と、前記検知手段により入室時にシャワー室内の照明灯の点灯を制御する点灯制御手段と、前記検知手段により退室時にシャワー室内の照明灯の消灯を制御する消灯制御手段とを備えたエアシャワー装置であって、前記消灯制御手段を消灯タイマーによって構成し、前記消灯タイマーが作動中に、前記検知手段によりシャワー室内への入室を検知した場合には、前記消灯タイマーをリセットすることを特徴とする。
【０００６】
【実施例】
以下に本発明の一実施例によるエアシャワー装置について図面を用いて説明する。
図１は本実施例によるエアシャワー装置の斜視図、図２は図１のＡ−Ａ矢視図、図３は同装置の動作を示すフローチャート図である。
図１及び図２に示すように、シャワー室１内には、人体や物体等を通過させる通路２が設けられている。シャワー室１は、前室側と清浄室側にそれぞれ扉２ａと扉２ｂが設けられている。通路２の側部には側面送風部３ａと側面部３ｂが設置され、側面送風部３ａには複数の側部ジェット気流噴出口４ａが設けられ、下部にはリターン用の空気吸込口５が設けられている。側面送風部３ａの内部には、図示しないが、例えば、ジェットファン等のファン、フィルタ、圧力室等が配備されている。側面送風部３ａ内部には、扉２ａや扉２ｂを施錠する電磁ロック６が設けられている。また、側面送風部３ａの上方部にはパネル７が設けられ、パネル７には消灯タイマー８及びシートスイッチからなるコントロールパネル９が設けられている。パネル７を外した側面送風部３ａ内部にはブレーカ１０が設置されている。通路２の天井には天井ユニット１１が設けられ、天井ユニット１１の両端は側面送風部３ａ及び側面部３ｂに連結されている。この天井ユニット１１の室内側には、照明灯１２が設けられている。また、通路２には床ユニット１３が設けられ、床ユニット１１の両端は側面送風部３ａ及び側面部３ｂに連結されている。
【０００７】
次に、図３を用いて本実施例によるエアシャワー装置の動作について説明する。
初期状態（Ｓ１）において作業者が前室側扉を開けてシャワー室内に入室する場合、前室側の検知手段である扉開閉センサーによって前室側扉が開かれたことを検出すると（Ｓ２）、制御手段によって電磁ロックを作動させて清浄室側の扉を施錠する（Ｓ３）。
次に、前室側の扉開閉センサーによって前室側扉が閉じられたことを検出すると（Ｓ５）、ファンの制御手段によってファンの運転を開始し、側部ジェット気流噴出口から空気を吹き出し（Ｓ６）、制御手段によって電磁ロックを作動させて清浄室側扉及び前室側扉を施錠する（Ｓ７）。
前記ファンの作動時間は、ファンの制御手段内のファンタイマーによって設定時間に達した場合（Ｓ８）にはファンの運転を停止する（Ｓ９）とともに清浄室側扉及び前室側扉を開錠する（Ｓ１０）ようになっている。
ファンの運転の停止後、清浄室側扉の開閉状態を清浄室側の扉開閉センサーによって検出し（Ｓ１１）、清浄室側扉が開かれたことを検出する（Ｓ１１）と、制御手段によって電磁ロックを作動させて前室側扉を施錠する（Ｓ１２）。
清浄室側扉を開放している間は、前室側扉を施錠状態を維持し、清浄室側の扉開閉センサーによって、清浄室側扉が閉じられたことを検出すると（Ｓ１３）、前室側扉を開錠する（Ｓ１４）。
そして、前室側扉の開錠（Ｓ１４）によって制御手段は初期状態に戻ることになる（Ｓ１）。
【０００８】
次に、照明灯の点灯及び消灯について説明する。
前室側の扉開閉センサーによって前室側扉の開閉状態を検出（Ｓ２）し、前室側扉が開けられると点灯（Ｓ４）する。
前室側の扉が閉じられると、消灯タイマーをリセットし（Ｓ１５）、清浄室側扉が閉じられたことを検出すると（Ｓ１６）、消灯タイマーをスタートする（Ｓ１７）。
消灯タイマーは、照明点灯時間を計測し、設定時間に達したか否かを判断し（Ｓ１８）、設定時間が経過すると照明を消灯する（Ｓ１９）。
前記したフローによれば、消灯タイマーの稼働時に、前室側の扉開閉センサーによって前室側扉の閉状態を検出した（Ｓ６）場合には、消灯タイマーをリセット（Ｓ１５）し、Ｓ１６〜Ｓ１７の動作を行う。
【０００９】
次に、本実施例によるエアシャワー装置の効果を、照明灯の点灯時間及びスイッチの切り替え数の観点から以下の従来例及び比較例を用いて説明する。
尚、以下の実施例、従来例及び比較例では、作業者５人が１度に清浄室に入室する動作を、１日に２回行う場合を想定した。そして、清浄室の稼働時間については、１日８時間、年に２６０日稼働するものとした。
【００１０】
（実施例）
消灯制御手段として消灯タイマーを使用した清浄室とした。照明灯の点灯時間は、１人当たり４分として、消灯タイマーは２分経過した場合に照明灯を消灯するものとした。
本実施例においては、５人連続してエアシャワー装置を通過後、２分間照明灯が点灯することになるので、１度に照明灯が点灯する時間は２２分となり、１日に４４分、１年間に約１９０時間点灯することになる。また、スイッチの切り替えに関しては、１度の通過で２回、１日に計４回、１年間に１０４０回となる。
【００１１】
（従来例）
常時照明灯が点灯する清浄室とした。
照明灯は１日４８０分（８時間）点灯することになり、１年間２０８０時間点灯することになる。
【００１２】
（比較例）
消灯タイマーの代わりに前室扉及び清浄室扉足下付近に人の通過を検知して照明灯を点灯及び消灯する清浄室とした。
照明灯は、１度に２０分、１日で計４０分点灯することになり、１年間に１７４時間点灯することになる。また、スイッチの切り替え回数に関しては、１度に１０回、１日に計２０回、１年間に５２００回となる。
【００１３】
上記実施例、従来例及び比較例の照明灯の点灯時間及びスイッチの切り替え回数について、実施例の点灯時間及びスイッチの切り替え回数を１００として、従来例及び比較例のそれぞれの値を評価した。そして、点灯時間は省エネ効果として、スイッチ切り替え回数はスイッチ消耗効果として表１にまとめた。
【００１４】
【表１】
2004093010.tif 000003
【００１５】
表１からも明らかなように、本実施例では、省エネ効果は比較例と比べても大差ないのにもかかわらず、スイッチ消耗効果は比較例に比べて４倍も優れていることが分かる。即ち、本実施例の装置によれば、連続してエアシャワー装置に入室する場合に、人数に比例してスイッチの切り替え回数を低減することができることがわかる。尚、従来例に関しては、清浄室稼働中は常に点灯することから省エネ効果が全くないことは明らかである。
【００１６】
【発明の効果】
以上の説明から明らかなように、本発明によれば従来照明を常に点灯した場合に比べて大変大きな省エネ効果が得られる。
また、センサーを用いて人・物を検知して照明のオン・オフを繰り返す場合に比べても、省エネ効果は大差なく消耗部品であるスイッチの使用回数を減らすことができて、装置のランニングコストを抑えることができる。
【図面の簡単な説明】
【図１】本発明の一実施例によるエアシャワー装置の斜視図
【図２】図１のＡ−Ａ矢視図
【図３】同装置の動作を示すフローチャート図
【符号の説明】
１　　　シャワー室
２ａ　　前室側扉
２ｂ　　清浄室側扉
３　　　側面部
４ａ　　ノズル
５　　　空気吸込口
６　　　電磁ロック
７　　　パネル
８　　　消灯タイマー
９　　　コントロールパネル
【図１】
2004093010.tif 000004
【図２】
2004093010.tif 000005
【図３】
2004093010.tif 000006